(57)【要約】【課題】簡単に組み立てられ得る梱包体を提供する。【解決手段】梱包体は、複数の梱包物を下から支持するボトム部材１０と、複数の梱包物の上部を覆うトップ部材３０と、ボトム部材１０とトップ部材３０との間に配置されるフレーム部材とを備える。フレーム部材は、第１サブフレーム５１及び第２サブフレーム６１を備える。第１サブフレーム５１及び第２サブフレーム６１によりボトム部材１０とトップ部材３０との間の空間を梱包物が収容される複数の収容空間に仕切る。サブフレーム５１，６１のそれぞれは、収容空間の一つを構成する周壁５２，６２と、周壁５２，６２から延びて他のサブフレーム５１，６１と協働して他の収容空間を構成する延長壁５３，６３とを有し、かつ折り畳み可能である。【選択図】図３
0003204473.tif 000002
【実用新案登録請求の範囲】
【請求項１】
複数の梱包物を下から支持するボトム部材と、前記複数の梱包物の上部を覆うトップ部材と、前記ボトム部材と前記トップ部材との間に配置されるフレーム部材とを備え、
前記フレーム部材は、少なくとも２つのサブフレームを備え、前記サブフレームにより前記ボトム部材と前記トップ部材との間の空間を前記梱包物が収容される複数の収容空間に仕切り、
前記サブフレームのそれぞれは、前記収容空間の一つを構成する周壁と前記周壁から延びて他の前記サブフレームと協働して他の前記収容空間を構成する延長壁とを有し、かつ折り畳み可能である
梱包体。
【請求項２】
前記フレーム部材は、前記サブフレームとして第１サブフレームと第２サブフレームとを備え、前記ボトム部材と前記トップ部材との間の空間を、第１収容空間、第２収容空間及び第３収容空間の順で一列に並ぶ３つの収容空間に仕切るものであり、
前記第１サブフレームは、前記第１収容空間を囲む周壁と、前記第２収容空間の一部を構成する延長壁とを有し、
前記第２サブフレームは、前記第３収容空間を囲む周壁と、前記第２収容空間の一部を構成する延長壁とを有し、
前記第１サブフレーム及び前記第２サブフレームは、前記第１サブフレームの前記周壁の一部と、前記第１サブフレームの延長壁と、前記第２サブフレームの前記周壁の一部と、前記第２サブフレームの延長壁とにより、前記第２収容空間を構成する
請求項１に記載の梱包体。
【請求項３】
前記第１サブフレームの前記周壁は、平面視で矩形であり、４つの壁により構成され、前記第１サブフレームの前記延長壁は、前記４つの壁のいずれか一つの延長として構成され、
前記第２サブフレームの前記周壁は、平面視で矩形であり、４つの壁により構成され、前記第２サブフレームの前記延長壁は、前記４つの壁のいずれか一つの延長として構成され、
前記第１サブフレームと前記第２サブフレームとは、前記第１サブフレームの前記延長壁と前記第２サブフレームの前記延長壁とを対向させることにより前記第３収容空間を構成する
請求項２に記載の梱包体。
【請求項４】
前記ボトム部材は、前記梱包物を支持する支持部と、前記第１サブフレーム及び前記第２サブフレームを支持する溝と、折り畳まれた前記第１サブフレームを収容する第１収容部と、折り畳まれた前記第２サブフレームを収容する第２収容部と、前記トップ部材に係合する係合部とを有し、
前記トップ部材は、前記梱包物に当接する当接部と、前記第１サブフレーム及び前記第２サブフレームを支持する溝と、折り畳まれた前記第１サブフレームを収容する第１収容部と、折り畳まれた前記第２サブフレームを収容する第２収容部と、前記ボトム部材の係合部に係合する被係合部とを有し、
前記ボトム部材の前記係合部と前記トップ部材の前記被係合部とが係合するように、前記ボトム部材に前記トップ部材が重ねられるとき、前記ボトム部材の前記第１収容部と前記トップ部材の前記第１収容部とにより、折り畳まれた前記第１サブフレームが収容される第１フレーム収容空間が構成され、前記ボトム部材の前記第２収容部と前記トップ部材の前記第２収容部とにより、折り畳まれた前記第２サブフレームが収容される第２フレーム収容空間が構成される
請求項２または請求項３に記載の梱包体。
【請求項５】
前記第１サブフレームと前記第２サブフレームは、同じ構造を有する
請求項２〜請求項４のいずれか一項に記載の梱包体。
【考案の詳細な説明】
【技術分野】
【０００１】
本考案は、コンパクトにすることが可能な梱包体に関する。
【背景技術】
【０００２】
梱包体として、特許文献１に記載の技術が知られている。
特許文献１に記載の梱包体は、梱包物を下から支持するボトム部材（同文献では下方のパレット）と、梱包物の上部を覆うトップ部材（同文献では上方のパレット）と、ボトム部材とトップ部材との間に配置されるフレーム部材（同文献では枠スペーサ及び中スペーサ）とを備える。梱包体は、これらの部材に分解され得る。梱包体の組み立てでは、フレーム部材を構成する２個の分割体の端部を折り曲げてボトム部材に取り付け、中スペーサを２つの分割体に係合させる。
【先行技術文献】
【特許文献】
【０００３】
【特許文献１】特開２００３−１３７３３５号公報
【考案の概要】
【考案が解決しようとする課題】
【０００４】
ところで、複数の収容空間を構成する梱包体では、ボトム部材とトップ部材との間に配置されるフレーム部材は複雑な構造になる。このため、フレーム部材を、コンパクトにした状態から組み立てた状態（すなわち梱包物を収容することができる収容空間を有する状態）にすることに手間がかかる。本考案は、このような課題を解決する。
【課題を解決するための手段】
【０００５】
（１）上記課題を解決する梱包体は、複数の梱包物を下から支持するボトム部材と、前記複数の梱包物の上部を覆うトップ部材と、前記ボトム部材と前記トップ部材との間に配置されるフレーム部材とを備え、前記フレーム部材は、少なくとも２つのサブフレームを備え、前記サブフレームにより前記ボトム部材と前記トップ部材との間の空間を前記梱包物が収容される複数の収容空間に仕切り、前記サブフレームのそれぞれは、前記収容空間の一つを構成する周壁と前記周壁から延びて他の前記サブフレームと協働して他の前記収容空間を構成する延長壁とを有し、かつ折り畳み可能である。この構成によれば、サブフレームは周壁を有するため、サブフレームを、折畳み状態から開いた状態（すなわち、周壁内に空間が構成される状態）に簡単に変形させることができる。このため、梱包体は、簡単に組み立てられ得る。
【０００６】
（２）上記梱包体において、前記フレーム部材は、前記サブフレームとして第１サブフレームと第２サブフレームとを備え、前記ボトム部材と前記トップ部材との間の空間を、第１収容空間、第２収容空間及び第３収容空間の順で一列に並ぶ３つの収容空間に仕切るものであり、前記第１サブフレームは、前記第１収容空間を囲む周壁と、前記第２収容空間の一部を構成する延長壁とを有し、前記第２サブフレームは、前記第３収容空間を囲む周壁と、前記第２収容空間の一部を構成する延長壁とを有し、前記第１サブフレーム及び前記第２サブフレームは、前記第１サブフレームの前記周壁の一部と、前記第１サブフレームの延長壁と、前記第２サブフレームの前記周壁の一部と、前記第２サブフレームの延長壁とにより、前記第２収容空間を構成する。この梱包体によれば、３つの収容空間が構成される。
【０００７】
（３）上記梱包体において、前記第１サブフレームの前記周壁は、平面視で矩形であり、４つの壁により構成され、前記第１サブフレームの前記延長壁は、前記４つの壁のいずれか一つの延長として構成され、前記第２サブフレームの前記周壁は、平面視で矩形であり、４つの壁により構成され、前記第２サブフレームの前記延長壁は、前記４つの壁のいずれか一つの延長として構成され、前記第１サブフレームと前記第２サブフレームとは、前記第１サブフレームの前記延長壁と前記第２サブフレームの前記延長壁とを対向させることにより前記第３収容空間を構成する。この梱包体によれば、平面視矩形である３つの収容空間が構成される。
【０００８】
（４）上記梱包体において、前記ボトム部材は、前記梱包物を支持する支持部と、前記第１サブフレーム及び前記第２サブフレームを支持する溝と、折り畳まれた前記第１サブフレームを収容する第１収容部と、折り畳まれた前記第２サブフレームを収容する第２収容部と、前記トップ部材に係合する係合部とを有し、前記トップ部材は、前記梱包物に当接する当接部と、前記第１サブフレーム及び前記第２サブフレームを支持する溝と、折り畳まれた前記第１サブフレームを収容する第１収容部と、折り畳まれた前記第２サブフレームを収容する第２収容部と、前記ボトム部材の係合部に係合する被係合部とを有し、前記ボトム部材の前記係合部と前記トップ部材の前記被係合部とが係合するように、前記ボトム部材に前記トップ部材が重ねられるとき、前記ボトム部材の前記第１収容部と前記トップ部材の前記第１収容部とにより、折り畳まれた前記第１サブフレームが収容される第１フレーム収容空間が構成され、前記ボトム部材の前記第２収容部と前記トップ部材の前記第２収容部とにより、折り畳まれた前記第２サブフレームが収容される第２フレーム収容空間が構成される。この構成によれば、ボトム部材とトップ部材とが重ねられた構造体内に、折り畳まれた第１サブフレーム及び第２サブフレームが収容される。このため、梱包体で梱包物を梱包しないときは、梱包体をコンパクトにして搬送することができる。
【０００９】
（５）上記梱包体において、前記第１サブフレームと前記第２サブフレームは、同じ構造を有する。第１サブフレームと第２サブフレームとが異なる構造を有するとき、ボトム部材にこれらを取り付けるとき、その配置に注意する必要がある。この点、第１サブフレームと第２サブフレームとが同じ構造であるため、配置に注意して組み立てるという煩雑さが軽減される。このため、ボトム部材に第１サブフレーム及び第２サブフレームを取り付けるときの取り付け作業効率が向上する。
【考案の効果】
【００１０】
上記梱包体は、簡単に組み立てられ得る。
【図面の簡単な説明】
【００１１】
【図１】複数の梱包体が積み上げられた集合物の斜視図。
【図２】第１実施形態に係る梱包体の斜視図。
【図３】第１実施形態に係る梱包体の分解斜視図。
【図４】フレーム部材が取り付けられたボトム部材の斜視図。
【図５】上から見たボトム部材の斜視図。
【図６】下から見たボトム部材の斜視図。
【図７】ボトム部材の平面図。
【図８】図７のＡ−Ａ線に沿うボトム部材の断面図。
【図９】ボトム部材の側面図。
【図１０】下から見たトップ部材の斜視図。
【図１１】上から見たトップ部材の斜視図。
【図１２】トップ部材の底面図。
【図１３】図１２のＢ−Ｂ線に沿うトップ部材の断面図。
【図１４】トップ部材の側面図。
【図１５】（ａ）は、第１サブフレームの斜視図、（ｂ）は、第２サブフレームの斜視図。
【図１６】折り畳まれた第１サブフレームの平面図。
【図１７】ボトム部材の上にトップ部材が重ねられた構造体の側面図。
【図１８】図１２のＢ−Ｂ線に対応する線に沿う、ボトム部材の上にトップ部材が重ねられた構造体の断面図。
【図１９】第１サブフレーム及び第２サブフレームの収容状態を示す、ボトム部材の平面図。
【図２０】第２実施形態に係る梱包体について、（ａ）フレーム部材の模式図、（ｂ）第１及び第２サブフレームの模式図。
【図２１】第３実施形態に係る梱包体について、（ａ）フレーム部材の模式図、（ｂ）第１及び第２サブフレームの模式図。
【図２２】第４実施形態に係る梱包体について、（ａ）フレーム部材の模式図、（ｂ）第１〜第４サブフレームの模式図。
【図２３】第５実施形態に係る梱包体について、（ａ）フレーム部材の模式図、（ｂ）第１〜第４サブフレームの模式図。
【図２４】第６実施形態に係る梱包体について、（ａ）フレーム部材の模式図、（ｂ）第１〜第３サブフレームの模式図。
【図２５】第７実施形態に係る梱包体について、（ａ）フレーム部材の模式図、（ｂ）第１及び第２サブフレームの模式図。
【考案を実施するための形態】
【００１２】
実施形態に係る梱包体について説明する。
梱包体１は、複数個の梱包物２を梱包する。梱包物２は、梱包体１内で移動しないように梱包体１により保持される。梱包物２は限定されないが、底面と上面とが後述のボトム部材１０とトップ部材３０とにより挟持される形状構造を有することが好ましい。梱包物２としては、車両に搭載されるインバータ、電池ユニット等が挙げられる。
【００１３】
なお、梱包体１の説明においては、梱包体１における上下方向は、梱包物２が梱包体１に包装されて搬送されるときの梱包体１の姿勢を基準にして定義される。具体的には、梱包体１の「上側」とは、梱包体１を搬送状態に置いたときの上側に一致する。梱包体１の「下側」は上側の反対側を示す。
【００１４】
＜第１実施形態＞
図１〜図１９を参照して梱包体の一例を説明する。図１に示されるように、梱包体１は、段積みが可能である。このように段積みされた梱包体１は、バンドで結束されて搬送される。
【００１５】
図２に示されるように、梱包体１は、６個の梱包物２を梱包する。
図３に示されるように、梱包体１は、梱包物２を下から支持するボトム部材１０と、梱包物２の上側を保持するトップ部材３０と、ボトム部材１０とトップ部材３０との間に配置されるフレーム部材５０とを備える。フレーム部材５０は、ボトム部材１０とトップ部材３０との空間を複数の収容空間に仕切る。フレーム部材５０は、２個のサブフレーム（以下、「第１サブフレーム５１」及び「第２サブフレーム６１」という。）により構成される。トップ部材３０、ボトム部材１０、及びフレーム部材５０は、樹脂（例えば、硬質樹脂）により構成される。
【００１６】
図４は、フレーム部材５０が取り付けられたボトム部材１０の斜視図である。図４に示されるように、フレーム部材５０は、ボトム部材１０とトップ部材３０との間の空間を３つの収容空間に仕切る。３つの収容空間の平面視形状は同一であり、各収容空間には、２個の梱包物２が収容される。３つの収容空間は一列に並べられる。収容空間内において、２個の梱包物２は、収容空間の並びの方向とは交差する方向に並べられる。なお、本実施形態では、収容空間の並びの方向を「横方向」といい、横方向に垂直な方向を「縦方向」という。また、３つの収容空間は、横方向の並びにおいて、順に、第１収容空間ＳＡ、第２収容空間ＳＢ、第３収容空間ＳＣという。
【００１７】
図５〜図９を参照して、ボトム部材１０を説明する。
図５に示されるように、ボトム部材１０は、横方向に延びる一対の横枠部１１と、縦方向に延びる一対の縦枠部１２と、横方向に延びて一対の横枠部１１の間に配置される中間部（以下、「第１中間部１３」という。）と、縦方向に延びて一対の縦枠部１２の間に配置される２個の中間部（以下、「第２中間部１４」及び「第３中間部１５」という。）とを有する。第１中間部１３は、一対の縦枠部１２を連結する。第２中間部１４及び第３中間部１５は、一対の横枠部１１を連結する。第２中間部１４及び第３中間部１５は、第１中間部１３に交差し、交差部分で結合されている。すなわち、一対の横枠部１１と一対の縦枠部１２とにより構成される平面視矩形の環状体は、第１中間部１３、第２中間部１４及び第３中間部１５により、６個の領域に区画される。
【００１８】
図７に示されるように、各区画には、梱包物２を支持する支持部１６が設けられる。例えば、支持部１６は、各領域内に設けられる。これらの支持部１６の支持面は、ボトム部材１０の上面１０ａ（横枠部１１の上面１１ａと一致する面）と、ボトム部材１０の下面１０ｂ（横枠部１１の下面１１ｂと一致する面）との間に配置される。
【００１９】
また、各区画には、フレーム部材５０の下端が挿通する溝１７が設けられている。溝１７は、フレーム部材５０の所々に対応して設けられている。
また、２個の縦枠部１２、第２中間部１４及び第３中間部１５には、それぞれサブフレームを位置決めするためのフレーム係合部１８が設けられている。これらフレーム係合部１８は、溝１７の底面から窪む凹部として構成される。
【００２０】
また、図７に示されるように、ボトム部材１０には、折畳みサブフレーム（折り畳まれたサブフレームと同じ意味。以下同じ。）を収容する収容部が設けられている。ボトム部材１０には、２個の収容部（以下、「第１収容部２１」及び「第２収容部２２」という。）が設けられ、それぞれに、折畳みサブフレームが収容される。
【００２１】
図７及び図８に示されるように、第１収容部２１は、縦方向の一方側に並べられる３つの区画に渡るように構成される。
第１収容部２１は、第２中間部１４において折畳みサブフレームを保持する第１保持部２１ａと、第３中間部１５において折畳みサブフレームを保持する第２保持部２１ｂと、一方の縦枠部１２において折畳みサブフレームを保持する第３保持部２１ｃとにより構成される。
【００２２】
第１保持部２１ａ、第２保持部２１ｂ、及び第３保持部２１ｃは、例えば、サブフレームの高さ幅ＬＨと等しいまたは若干長い幅長を有する凹部として構成される（図１９参照）。これら凹部の底面は、ボトム部材１０の上面１０ａ（横枠部１１の上面１１ａと一致する面）と、ボトム部材１０の下面１０ｂ（横枠部１１の下面１１ｂと一致する面）との間に配置される。なお、第２収容部２２は、第１収容部２１と同じ構造を有する。
【００２３】
図６に示されるように、横枠部１１には、下面１１ｂから窪む第１係合部２３が設けられる。第１係合部２３は、梱包体１が積み上げられてトップ部材３０の上にボトム部材１０が重ねられたときに、トップ部材３０の第１被係合部４３に係合する。
【００２４】
また、図９に示されるように、横枠部１１には、上面１１ａから突出する第２係合部２４が設けられる。第２係合部２４は、後述するようにボトム部材１０の上にトップ部材３０が重ねられたときに、トップ部材３０の第２被係合部４４に係合する（図１７参照）。
【００２５】
さらに、図９に示されるように、横枠部１１において、下面１１ｂと側面１１ｃとにより構成される角部には、切欠部２５が設けられる。切欠部２５は、後述するように取っ手を構成する。
【００２６】
図１０〜図１４を参照して、トップ部材３０を説明する。
図１０に示されるように、トップ部材３０は、横方向に延びる一対の横枠部３１と、縦方向に延びる一対の縦枠部３２と、横方向に延びて一対の横枠部３１の間に配置される中間部（以下、「第１中間部３３」という。）と、縦方向に延びて一対の縦枠部３２の間に配置される２個の中間部（以下、「第２中間部３４」及び「第３中間部３５」という。）とを有する。第１中間部３３は、一対の縦枠部３２を連結する。第２中間部３４及び第３中間部３５は、一対の横枠部３１を連結する。第２中間部３４及び第３中間部３５は、第１中間部３３に交差して、交差部分で結合されている。すなわち、一対の横枠部３１と一対の縦枠部３２とにより構成される平面視矩形の環状体は、第１中間部３３、第２中間部３４及び第３中間部３５により、６個の領域に区画される。
【００２７】
図１２に示されるように、各区画には、梱包物２を支持する当接部３６が設けられる。例えば、当接部３６は、各領域内に設けられる。これらの当接部３６の当接面は、トップ部材３０の上面３０ａ（横枠部３１の上面３１ａと一致する面）と、トップ部材３０の下面３０ｂ（横枠部３１の下面３１ｂと一致する面）との間に配置される。
【００２８】
また、各区画には、フレーム部材５０の上端が挿通する溝３７が設けられている。溝３７は、フレーム部材５０の所々に対応して設けられている。
また、図１２に示されるように、トップ部材３０には、折畳みサブフレームを収容する収容部が設けられている。トップ部材３０には、２個の収容部（以下、「第１収容部４１」及び「第２収容部４２」という。）が設けられ、それぞれに、折畳みサブフレームが収容される。
【００２９】
図１２及び図１３に示されるように、第１収容部４１は、縦方向の一方側に並べられる３つの区画に渡るように構成される。
第１収容部４１は、第２中間部３４において折畳みサブフレームを保持する第１保持部４１ａと、第３中間部３５において折畳みサブフレームを保持する第２保持部４１ｂと、一方の縦枠部３２において折畳みサブフレームを保持する第３保持部４１ｃとにより構成される。
【００３０】
第１保持部４１ａ、第２保持部４１ｂ、及び第３保持部４１ｃは、例えば、サブフレームの高さ幅ＬＨと等しいまたは若干長い幅長を有する凹部として構成される。これら凹部の底面は、トップ部材３０の上面３０ａ（横枠部３１の上面３１ａと一致する面）と、トップ部材３０の下面３０ｂ（横枠部３１の下面３１ｂと一致する面）との間に配置される。なお、第２収容部４２は、第１収容部４１と同じ構造を有する。
【００３１】
図１１に示されるように、横枠部３１には、上面３１ａから突出する第１被係合部４３が設けられる。
第１被係合部４３は、梱包体１が積み上げられてトップ部材３０の上にボトム部材１０が重ねられたときに、ボトム部材１０の第１係合部２３に係合する。これにより、梱包物２搬送中におけるトップ部材３０とボトム部材１０との位置ずれが抑制される。
【００３２】
また、図１４に示されるように、横枠部３１には、下面３１ｂから窪む第２被係合部４４が設けられる。第２被係合部４４は、後述するようにボトム部材１０の上にトップ部材３０が重ねられたときに、ボトム部材１０の第２係合部２４に係合する（図１７参照）。これにより、ボトム部材１０とトップ部材３０とを重ねた状態での梱包体１の搬送において、ボトム部材１０に対するトップ部材３０の位置ずれが抑制される。
【００３３】
さらに、図１４に示されるように、横枠部３１において、上面３１ａと側面３１ｃとにより構成される角部には、切欠部４５が設けられる。この切欠部４５は、上述したように梱包体１が積み上げられてトップ部材３０の上にボトム部材１０が重ねられたときに（図１参照）、ボトム部材１０の切欠部２５に対向するように配置される。このようなトップ部材３０の切欠部２５とボトム部材１０の切欠部４５とは、人の手が挿通される空間を構成する。すなわち、２つの切欠部２５，４５により構成される凹部は、梱包体１の持ち上げの際に利用される取っ手を構成する。
【００３４】
図１５及び図１６を参照して、第１サブフレーム５１及び第２サブフレーム６１について説明する。なお、第１サブフレーム５１及び第２サブフレーム６１の説明においては、縦方向において一方の方向を第１縦方向といい、第１縦方向の反対方向を第２縦方向という。
【００３５】
第１サブフレーム５１は、第１収容空間ＳＡを構成する平面視で矩形の周壁５２と、周壁５２から延びる延長壁５３とを有する。延長壁５３は、第２収容空間ＳＢを囲む壁の一部分を構成する（図４及び図１５参照）。
【００３６】
第２サブフレーム６１は、第３収容空間ＳＣを構成する平面視で矩形の周壁６２と、周壁６２から延びる延長壁６３とを有する。延長壁６３は、第２収容空間ＳＢを囲む壁の一部分を構成する（図４及び図１５参照）。
【００３７】
第２収容空間ＳＢは、第１サブフレーム５１の周壁５２の一部分と、第１サブフレーム５１の延長壁５３と、第２サブフレーム６１の周壁６２の一部分と、第２サブフレーム６１の延長壁６３とにより囲まれる（図４参照）。
【００３８】
以下、第１サブフレーム５１及び第２サブフレーム６１の具体例を説明する。
図１５（ａ）に示されるように、第１サブフレーム５１は、第１壁５５〜第５壁５９を有する。
【００３９】
第１壁５５は、第１収容空間ＳＡと第２収容空間ＳＢとの間の壁を構成する。第２壁５６は、第１収容空間ＳＡにおいて第１縦方向側の壁を構成する。第３壁５７は、第１収容空間ＳＡにおいて横方向の壁（第１壁５５に対向する壁）を構成する。第４壁５８は、第１収容空間ＳＡにおいて第２縦方向側の壁を構成する。第５壁５９は、第２収容空間ＳＢにおいて第２縦方向側の壁を構成する。
【００４０】
第１壁５５〜第５壁５９は、この順で連結され、かつ、第１壁５５の一方の端（第２壁５６に接続される端とは反対側の端）は、第４壁５８と第５壁５９との境界に接続される。すなわち、第１サブフレーム５１の第１壁５５〜第４壁５８は、第１収容空間ＳＡを構成する上述の周壁５２を構成する。第５壁５９は、上述の延長壁５３を構成する。
【００４１】
第１サブフレーム５１は、第１壁５５と第２壁５６との境界、第２壁５６と第３壁５７との境界、第３壁５７と第４壁５８との境界、第１壁５５と第４壁５８（または第５壁５９）との境界とで折り曲げ可能である。そして、好ましくは、第５壁５９は、第４壁５８が延長した部分として構成される。すなわち、第４壁５８と第５壁５９とは一体に構成され、第４壁５８と第５壁５９との境界で折り曲げ難いように構成される。第１壁５５の下端及び第３壁５７の下端には、ボトム部材１０のフレーム係合部１８に係合する下係合部５４が設けられている。
【００４２】
第１サブフレーム５１の高さ幅ＬＨは、ボトム部材１０の縦方向の幅長の１／２よりも短い（以下、この構成を「第１寸法構造」という。）。
また、第１壁５５の幅長（幅長とは、高さ方向とは垂直な方向における幅長を示す。以下、各壁において同じ。）と第３壁５７の幅長とは等しい。第２壁５６の幅長と第４壁５８の幅長と第５壁５９の幅長とは等しい。この構成において、第１壁５５の幅長が第２壁５６の幅長よりも長い場合は、第１壁５５の幅長と第２壁５６の幅長とを足した長さが、ボトム部材１０の横方向の幅長よりも短いことが好ましい（以下、この構成を「第２寸法構造」という。）。
【００４３】
図１５（ｂ）に示されるように、第２サブフレーム６１は、第６壁６５〜第１０壁６９を有する。
第６壁６５は、第２収容空間ＳＢと第３収容空間ＳＣとの間の壁を構成する。第７壁６６は、第３収容空間ＳＣにおいて第２縦方向側の壁を構成する。第８壁６７は、第３収容空間ＳＣにおいて横方向の壁（第６壁６５に対向する壁）を構成する。第９壁６８は、第３収容空間ＳＣにおいて第１縦方向側の壁を構成する。第１０壁６９は、第２収容空間ＳＢにおいて第１縦方向側の壁を構成する。
【００４４】
第６壁６５〜第１０壁６９は、この順で連結され、かつ、第６壁６５の一方の端（第７壁６６に接続される端とは反対側の端）は、第９壁６８と第１０壁６９との境界に接続される。すなわち、第２サブフレーム６１の第６壁６５〜第９壁６８は、第３収容空間ＳＣを構成する上述の周壁６２を構成する。第１０壁６９は、上述の延長壁６３に構成する。
【００４５】
第２サブフレーム６１は、第６壁６５と第７壁６６との境界、第７壁６６と第８壁６７との境界、第８壁６７と第９壁６８との境界、第６壁６５と第９壁６８（または第１０壁６９）との境界とで折り曲げ可能である。そして、好ましくは、第１０壁６９は、第９壁６８が延長した部分として構成される。すなわち、第９壁６８と第１０壁６９とは一体に構成され、第９壁６８と第１０壁６９との境界で折り曲げ難いように構成される。第６壁６５の下端及び第８壁６７の下端には、ボトム部材１０のフレーム係合部１８に係合する下係合部６４が設けられている。
【００４６】
第２サブフレーム６１の高さ幅ＬＨは、ボトム部材１０の縦方向の幅長の１／２よりも短い。
また、第６壁６５の幅長と第８壁６７の幅長とは等しい。第７壁６６の幅長と第９壁６８の幅長と第１０壁６９の幅長とは等しい。この構成において、第６壁６５の幅長が第７壁６６の幅長よりも長い場合は、第６壁６５の幅長と第７壁６６の幅長とを足した長さが、ボトム部材１０の横方向の幅長よりも短いことが好ましい。第２サブフレーム６１は第１サブフレーム５１と同様の第１及び第２寸法構造を有することが好ましい。
【００４７】
第１サブフレーム５１と第２サブフレーム６１とは次のようにボトム部材１０に取り付けられる。
第１サブフレーム５１の周壁５２及び第２サブフレーム６１の周壁６２が開かれる。すなわち、周壁５２，６２内に梱包物２が収容される収容空間が構成されるように、周壁５２，６２が変形される。そして、第１サブフレーム５１は、ボトム部材１０に対して一方の端側に配置され、第２サブフレーム６１は、ボトム部材１０に対して他方の端側に配置される。このとき、第１サブフレーム５１の延長壁５３（すなわち、第５壁５９）と第２サブフレーム６１の延長壁６３（すなわち、第１０壁６９）とを向い合せる。第１サブフレーム５１と第２サブフレーム６１とがボトム部材１０に組み付けられると、第１サブフレーム５１の第１壁５５と、第５壁５９と、第２サブフレーム６１の第６壁６５と、第１０壁６９とにより第２収容空間ＳＢが構成される（図４及び図１５参照）。
【００４８】
なお、第１収容空間ＳＡと第２収容空間ＳＢと第３収容空間ＳＣとが同じ容積かつ平面視で同じ形状である場合、第１サブフレーム５１と第２サブフレーム６１とは、同一の構造に構成される。
【００４９】
図１６を参照して、第１サブフレーム５１の折り畳み構造を説明する。
第１サブフレーム５１を折り畳む方法は２通りある。本実施形態では、第１サブフレーム５１がよりコンパクトになるように折り畳められる。具体的には、第１壁５５と第５壁５９とが接触するようにして第１サブフレーム５１が折り畳められる。このような折り畳み方法により第１サブフレーム５１が折り畳められると、上述の第１寸法構造及び第２寸法構造により、折畳み第１サブフレーム５１の全部が後述の第１フレーム収容空間ＳＸ内に収容される。なお、第２サブフレーム６１は、第１サブフレーム５１と同様態様で折り畳まれる。
【００５０】
図１７〜図１９を参照して、折畳みサブフレームの収容構造を説明する。
梱包体１は、ボトム部材１０と、トップ部材３０と、第１サブフレーム５１と、第２サブフレーム６１とに分解され得る。上述したように、第１サブフレーム５１及び第２サブフレーム６１は、各壁の境界（但し、上述の構成によれば、第４壁５８と第５壁５９との境界、及び第９壁６８と第１０壁６９との境界を除く。）で折り曲げ可能であることから、折り畳まれ得る。
【００５１】
図１７に示されるように、ボトム部材１０とトップ部材３０とは、重ねた状態で係合され得る。
すなわち、ボトム部材１０の所定の位置にトップ部材３０を重ねると、ボトム部材１０の上面１０ａとトップ部材３０の下面３０ｂとが接触して、ボトム部材１０の第２係合部２４とトップ部材３０の第２被係合部４４とが係合する。このような係合状態のとき、ボトム部材１０とトップ部材３０との間には、折畳みサブフレームが収容される２つのフレーム収容空間（以下、「第１フレーム収容空間ＳＸ」及び「第２フレーム収容空間ＳＹ」という。）が構成される（図１８及び図１９参照）。
【００５２】
図１８に示されるように、第１フレーム収容空間ＳＸは、ボトム部材１０の第１収容部２１とトップ部材３０の第１収容部４１とが対向するように配置されることにより構成される。第２フレーム収容空間ＳＹは、ボトム部材１０の第２収容部２２とトップ部材３０の第２収容部４２とが対向するように配置されることにより構成される。
【００５３】
図１９に示されるように、第１フレーム収容空間ＳＸには、折畳み第１サブフレーム５１が収容される。第２フレーム収容空間ＳＹには、折畳み第２サブフレーム６１が収容される。
【００５４】
上述したように、第１サブフレーム５１及び第２サブフレーム６１は、第１寸法構造及び第２寸法構造を有する。そして、第１収容部２１，４１の縦方向の幅長ＬＡは、第１サブフレーム５１の高さ幅ＬＨに等しいまたは若干長い。第２収容部２２，４２の縦方向の幅長ＬＢは、第２サブフレーム６１の高さ幅ＬＨに等しいまたは若干長い。このため、第１フレーム収容空間ＳＸ及び第２フレーム収容空間ＳＹ内に第１サブフレーム５１の全部及び第２サブフレーム６１の全部が収容される。
【００５５】
このような梱包体１の作用を説明する。
上述のような梱包体１は、梱包体１は、ボトム部材１０と、トップ部材３０と、第１サブフレーム５１と、第２サブフレーム６１とに分解され得る。そして、第１サブフレーム５１と第２サブフレーム６１とは折り畳み可能である。一方、ボトム部材１０とトップ部材３０とは重ねられて、折畳み第１サブフレーム５１と折畳み第２サブフレーム６１とを収容する第１フレーム収容空間ＳＸ及び第２フレーム収容空間ＳＹを構成する。このため、ボトム部材１０にトップ部材３０が重ねられた構造物に、第１サブフレーム５１と第２サブフレーム６１とを収容することができる。また、梱包体１の組み立てでは、上述したように、第１サブフレーム５１の周壁５２及び第２サブフレーム６１の周壁６２を開いて、これをボトム部材１０に取り付ける。これにより、周壁５２，６２内に梱包物２が収容される収容空間が構成される。このように、梱包体１が簡単に組み立てられる。
【００５６】
梱包体１の効果を説明する。
（１）梱包体１は、ボトム部材１０と、トップ部材３０と、フレーム部材５０とを備える。フレーム部材５０は、第１サブフレーム５１及び第２サブフレーム６１を備え、第１サブフレーム５１及び第２サブフレーム６１により複数の収容空間を構成する。第１サブフレーム５１及び第２サブフレーム６１のそれぞれは、収容空間の一つを構成する周壁５２，６２と、延長壁５３，６３とを有する。第１サブフレーム５１及び第２サブフレーム６１は協働して他の収容空間を構成する。また、第１サブフレーム５１及び第２サブフレーム６１は、折り畳み可能である。この構成によれば、第１サブフレーム５１及び第２サブフレーム６１を、折畳み状態から開いた状態に簡単に変形させることができる。このため、梱包体１は、簡単に組み立てられ得る。
【００５７】
（２）上記梱包体１において、ボトム部材１０の第２係合部２４とトップ部材３０の第２被係合部４４とが係合するように、ボトム部材１０にトップ部材３０が重ねられると、ボトム部材１０の第１収容部２１とトップ部材３０の第１収容部４１とにより、第１フレーム収容空間ＳＸが構成される。また、ボトム部材１０の第２収容部２２とトップ部材３０の第２収容部４２とにより、第２フレーム収容空間ＳＹが構成される。この構成によれば、ボトム部材１０とトップ部材３０とが重ねられた構造体内に、折り畳まれた第１サブフレーム５１及び第２サブフレーム６１が収容される。このため、梱包体１で梱包物２を梱包しないときは、梱包体１をコンパクトにして搬送することができる。
【００５８】
（３）上記梱包体１において、第１サブフレーム５１と第２サブフレーム６１は、同じ構造に構成され得る。第１サブフレーム５１と第２サブフレーム６１とが異なる構造を有するとき、ボトム部材１０にこれらを取り付けるとき、その配置に注意する必要がある。この点、第１サブフレーム５１と第２サブフレーム６１とが同じ構造である場合、配置に注意して組み立てるという煩雑さが軽減される。このため、ボトム部材１０に第１サブフレーム５１及び第２サブフレーム６１を取り付けるときの取り付け作業効率が向上する。
【００５９】
＜第２実施形態＞
図２０（ａ）及び図２０（ｂ）を参照して、第２実施形態に係る梱包体を説明する。
本実施形態に係る梱包体は、４つの収容空間を構成する。
【００６０】
梱包体は、ボトム部材とトップ部材とフレーム部材とを備え、これらの部品に分解され得る。フレーム部材１００は、２つのサブフレームにより構成される。
ボトム部材とトップ部材とは第１実施形態と同様に、重ねられて係合し得る。そして、ボトム部材の上にトップ部材が重ねられるとき、ボトム部材とトップ部材との間には、折畳みサブフレームが収容されるフレーム収容空間が構成される。ボトム部材及びトップ部材は、サブフレームの寸法に応じたフレーム収容空間が構成されるように、ボトム部材及びトップ部材の寸法が設定される。なお、複数のサブフレームを重ねずに配置したときの全体の面積がボトム部材の平面視の面積よりも大きくなる場合がある。この場合には、サブフレームは重ねられてフレーム収容空間に収容される。サブフレームの寸法に応じてフレーム収容空間が構成されることについては、以下に示す他の実施形態（第３実施形態〜第７実施形態）においても同様である。他の実施形態ではこの説明を省略する。
【００６１】
本実施形態の梱包体の４つの収容空間（以下、「第１収容空間ＳＡ」〜「第４収容空間ＳＤ」という。）の平面視形状は、いずれも矩形であり、全て同一形状である。第１収容空間ＳＡ〜第４収容空間ＳＤは、２列２行に配列される。
【００６２】
２つのサブフレーム（以下、「第１サブフレーム１１１」及び「第２サブフレーム１２１」という。）は同一の構造を有する。
第１サブフレーム１１１及び第２サブフレーム１２１は、１つの収容空間を構成する平面視矩形の周壁１１２，１２２と、周壁１１２，１２２から延長して他の収容空間の一部分の壁を構成する延長壁１１３，１２３とを有する。周壁１１２，１２２は折り畳み可能である。延長壁１１３，１２３は、周壁１１２，１２２のうち隣り合う２つの壁と同じ構造を有する。
【００６３】
第１サブフレーム１１１と第２サブフレーム１２１とは対角に配置される。
第１収容空間ＳＡは、第１サブフレーム１１１の周壁１１２により構成される。第２収容空間ＳＢは、第２サブフレーム１２１の延長壁１２３と、第１サブフレーム１１１の周壁１１２の１つの壁と、第２サブフレーム１２１の周壁１２２の１つの壁とにより構成される。第３収容空間ＳＣは、第１サブフレーム１１１の延長壁１１３と、第２サブフレーム１２１の周壁１２２の１つの壁と、第１サブフレーム１１１の周壁１１２の１つの壁とにより構成される。第４収容空間ＳＤは、第２サブフレーム１２１の周壁１２２により構成される。
【００６４】
このような構成によれば、ボトム部材とトップ部材との間の空間は４つの収容空間に仕切られる。また、第１サブフレーム１１１及び第２サブフレーム１２１は周壁１１２，１２２を有するため、折畳み状態から開いた状態に簡単に変形させることができる。このため、梱包体は、簡単に組み立てられ得る。
【００６５】
＜第３実施形態＞
図２１（ａ）及び図２１（ｂ）を参照して、第３実施形態に係る梱包体を説明する。本実施形態に係る梱包体は、５つの収容空間を構成する。梱包体は、ボトム部材とトップ部材とフレーム部材とを備え、これらの部品に分解され得る。フレーム部材２００は、２つのサブフレームにより構成される。
【００６６】
本実施形態の梱包体の５つの収容空間（以下、「第１収容空間ＳＡ」〜「第５収容空間ＳＥ」という。）の平面視形状は、いずれも矩形であり、全て同一形状である。第１収容空間ＳＡ〜第５収容空間ＳＥは、一列に並べられる。２つのサブフレーム（以下、「第１サブフレーム２１１」及び「第２サブフレーム２２１」という。）は同一の構造を有する。
【００６７】
第１サブフレーム２１１及び第２サブフレーム２２１は、第１収容空間ＳＡ（または第５収容空間ＳＥ）を構成する平面視矩形の周壁２１２，２２２と、周壁２１２，２２２から延長して他の収容空間の一部分の壁を構成する延長壁２１３，２２３とを有する。周壁２１２，２２２は折り畳み可能である。延長壁２１３，２２３は、第２収容空間ＳＢ〜第４収容空間ＳＤにおける一方側（または他方側）を構成する側壁２１３ａ，２２３ａと、第２収容空間ＳＢと第３収容空間ＳＣとを仕切る隔壁２１３ｂ（または第３収容空間ＳＣと第４収容空間ＳＤとを仕切る隔壁２２３ｂ）とを有する。
【００６８】
第１サブフレーム２１１と第２サブフレーム２２１とはそれぞれ両端に配置される。
第１収容空間ＳＡは、第１サブフレーム２１１の周壁２１２により構成される。第２収容空間ＳＢは、第１サブフレーム２１１の周壁２１２の１つの壁と、第１サブフレーム２１１の側壁２１３ａの一部分と、第１サブフレーム２１１の隔壁２１３ｂと、第２サブフレーム２２１の側壁２２３ａの一部分とにより構成される。
【００６９】
第３収容空間ＳＣは、第１サブフレーム２１１の側壁２１３ａの一部分と、第１サブフレーム２１１の隔壁２１３ｂと、第２サブフレーム２２１の隔壁２２３ｂと、第２サブフレーム２２１の側壁２２３ａの一部分とにより構成される。
【００７０】
第４収容空間ＳＤは、第２サブフレーム２２１の周壁２２２の１つの壁と、第２サブフレーム２２１の側壁２２３ａの一部分と、第２サブフレーム２２１の隔壁２２３ｂと、第１サブフレーム２１１の側壁２１３ａの一部分とにより構成される。第５収容空間ＳＥは、第２サブフレーム２２１の周壁２２２により構成される。
【００７１】
このような構成によれば、ボトム部材とトップ部材との間の空間は５つの収容空間に仕切られる。また、第１サブフレーム２１１及び第２サブフレーム２２１は周壁２１２，２２２を有するため、折畳み状態から開いた状態に簡単に変形させることができる。このため、梱包体は、簡単に組み立てられ得る。
【００７２】
＜第４実施形態＞
図２２（ａ）及び図２２（ｂ）を参照して、第４実施形態に係る梱包体を説明する。本実施形態に係る梱包体は、９つの収容空間を構成する。梱包体は、ボトム部材とトップ部材とフレーム部材とを備え、これらの部品に分解され得る。フレーム部材３００は、４つのサブフレームにより構成される。
【００７３】
本実施形態の梱包体の９つの収容空間（以下、「第１収容空間ＳＡ」〜「第９収容空間ＳＩ」という。）の平面視形状は、いずれも矩形であり、全て同一形状である。第１収容空間ＳＡ〜第９収容空間ＳＩは、３列３行に配列される。４つのサブフレーム（以下、「第１サブフレーム３１１」，「第２サブフレーム３２１」，「第３サブフレーム３３１」，「第４サブフレーム３４１」という。）は同一の構造を有する。第１サブフレーム３１１及び第２サブフレーム３２１は、第３サブフレーム３３１及び第４サブフレーム３４１に対向して配置される。
【００７４】
第１サブフレーム３１１〜第４サブフレーム３４１は、周壁３１２，３２２，３３２，３４２と、第１延長壁３１３ａ，３２３ａ，３３３ａ，３４３ａと、第２延長壁３１３ｂ，３２３ｂ，３３３ｂ，３４３ｂとを有する。周壁３１２，３２２，３３２，３４２は折り畳み可能である。
【００７５】
周壁３１２，３２２，３３２，３４２は、角部の収容空間、すなわち、第１収容空間ＳＡ、第３収容空間ＳＣ、第７収容空間ＳＧ、及び第９収容空間ＳＩを構成する。
第１延長壁３１３ａ，３２３ａ，３３３ａ，３４３ａの４つの壁は、周壁３１２，３２２，３３２，３４２から延長して、フレーム部材３００の中心部の収容空間、すなわち第５収容空間ＳＥを構成する。
【００７６】
第２延長壁３１３ｂ，３２３ｂ，３３３ｂ，３４３ｂは、周壁３１２，３２２，３３２，３４２から延長して、２つの角部の収容空間に挟まれた収容空間（すなわち、第２収容空間ＳＢ、第４収容空間ＳＤ、第６収容空間ＳＦ及び第８収容空間ＳＨ）の外側の壁を構成する。
【００７７】
第１サブフレーム３１１〜第４サブフレーム３４１の周壁３１２，３２２，３３２，３４２は、ボトム部材の４つの角部にそれぞれ配置される。これにより、ボトム部材とトップ部材との間の空間は９つの収容空間に仕切られる。また、第１サブフレーム３１１〜第４サブフレーム３４１は周壁３１２，３２２，３３２，３４２を有するため、折畳み状態から開いた状態に簡単に変形させることができる。このため、梱包体は、簡単に組み立てられ得る。
【００７８】
＜第５実施形態＞
図２３（ａ）及び図２３（ｂ）を参照して、第５実施形態に係る梱包体を説明する。本実施形態に係る梱包体は、８つの収容空間を構成する。梱包体は、ボトム部材とトップ部材とフレーム部材とを備え、これらの部品に分解され得る。フレーム部材４００は、４つのサブフレームにより構成される。
【００７９】
本実施形態の梱包体の８つの収容空間（以下、「第１収容空間ＳＡ」〜「第８収容空間ＳＨ」という。）の平面視形状は、いずれも矩形であり、全て同一形状である。第１収容空間ＳＡ〜第８収容空間ＳＨは、４列２行に配列される。２つのサブフレーム（以下、「第１サブフレーム４１１」及び「第４サブフレーム４４１」という。）は同一の構造を有し、他の２つのサブフレーム（以下、「第２サブフレーム４２１」及び「第３サブフレーム４３１」という。）は同一の構造を有する。
【００８０】
第１サブフレーム４１１及び第４サブフレーム４４１は、角部の収容空間（すなわち、第１収容空間ＳＡまたは第８収容空間ＳＨ）を構成する平面視矩形の周壁４１２，４４２と、周壁４１２，４４２から延長して他の収容空間の一部分の壁を構成する延長壁４１３，４４３とを有する。周壁４１２，４４２は折り畳み可能である。延長壁４１３，４４３は、角部の収容空間の隣の収容空間、すなわち第２収容空間ＳＢ及び第７収容空間ＳＧの外側の壁を構成する。
【００８１】
第２サブフレーム４２１及び第３サブフレーム４３１は、非角部の収容空間すなわち、第３収容空間ＳＣ及び第６収容空間ＳＦを構成する平面視矩形の周壁４２２，４３２と、周壁４２２，４３２から延長して他の収容空間の一部分の壁を構成する延長壁４２３，４３３とを有する。周壁４２２，４３２は折り畳み可能である。延長壁４２３，４３３は、角部の収容空間において外側の２つの壁を構成する。
【００８２】
第１サブフレーム４１１〜第４サブフレーム４４１の周壁４１２，４２２，４３２，４４２は、２列４行の配列において、隣接しないように配列され、かつ第１サブフレーム４１１と第４サブフレーム４４１とが対角の位置に、第２サブフレーム４２１と第３サブフレーム４３１とが対角の位置に配置される。これにより、ボトム部材とトップ部材との間の空間は８つの収容空間に仕切られる。また、第１サブフレーム４１１〜第４サブフレーム４４１は周壁４１２，４２２，４３２，４４２を有するため、折畳み状態から開いた状態に簡単に変形させることができる。このため、梱包体は、簡単に組み立てられ得る。
【００８３】
＜第６実施形態＞
図２４（ａ）及び図２４（ｂ）を参照して、第６実施形態に係る梱包体を説明する。本実施形態に係る梱包体は、６つの収容空間を構成する。梱包体は、ボトム部材とトップ部材とフレーム部材とを備え、これらの部品に分解され得る。フレーム部材５００は、３つのサブフレームにより構成される。
【００８４】
本実施形態の梱包体の６つの収容空間（以下、「第１収容空間ＳＡ」〜「第６収容空間ＳＦ」という。）の平面視形状は、いずれも矩形であり、全て同一形状である。第１収容空間ＳＡ〜第６収容空間ＳＦは、３列２行に配列される。３つのサブフレーム（以下、「第１サブフレーム５１１」〜「第３サブフレーム５３１」という。）は同一の構造を有する。
【００８５】
第１サブフレーム５１１〜第３サブフレーム５３１は、収容空間を構成する平面視矩形の周壁５１２，５２２，５３２と、周壁５１２，５２２，５３２から延長して他の収容空間の一部分の壁を構成する延長壁５１３，５２３，５３３とを有する。周壁５１２，５２２，５３２は折り畳み可能である。延長壁５１３，５２３，５３３は、他の収容空間の２つの壁を構成する。
【００８６】
第２サブフレーム５２１及び第３サブフレーム５３１は、第１サブフレーム５１１とは反対の向きに配置されて、第１サブフレーム５１１、第２サブフレーム５２１、第３サブフレーム５３１の順に一例に配列される。このとき、第２サブフレーム５２１の周壁５２２のうちの一つの壁は、第３サブフレーム５３１の周壁５３２のうちの一つの壁に重ねられる（破線部分参照）。これにより、ボトム部材とトップ部材との間の空間は６つの収容空間に仕切られる。また、第１サブフレーム５１１〜第３サブフレーム５３１は周壁５１２，５２２，５３２を有するため、折畳み状態から開いた状態に簡単に変形させることができる。このため、梱包体は、簡単に組み立てられ得る。
【００８７】
＜第７実施形態＞
図２５（ａ）及び図２５（ｂ）を参照して、第７実施形態に係る梱包体を説明する。本実施形態に係る梱包体は、４つの収容空間を構成する。梱包体は、ボトム部材とトップ部材とフレーム部材とを備え、これらの部品に分解され得る。フレーム部材６００は、２つのサブフレームにより構成される。
【００８８】
本実施形態の梱包体の４つの収容空間（以下、「第１収容空間ＳＡ」〜「第４収容空間ＳＤ」という。）の平面視形状は、いずれも矩形であり、全て同一形状である。第１収容空間ＳＡ〜第４収容空間ＳＤは、一列に配列される。２つのサブフレーム（以下、「第１サブフレーム６１１」及び「第２サブフレーム６２１」という。）は、同一の構造を有する。
【００８９】
第１サブフレーム６１１及び第２サブフレーム６２１は、収容空間を構成する平面視矩形の周壁６１２，６２２と、周壁６１２，６２２から延長して他の収容空間の一部分の壁を構成する延長壁６１３，６２３とを有する。周壁６１２，６２２は折り畳み可能である。延長壁６１３，６２３は、第２収容空間ＳＢ及び第３収容空間ＳＣの壁を構成する側壁６１３ａ，６２３ａと、第２収容空間ＳＢと第３収容空間ＳＣとを仕切る隔壁６１３ｂ，６２３ｂとを有する。
【００９０】
第１サブフレーム６１１の周壁６１２と第２サブフレーム６２１の周壁６２２とは、両端に配置される。第１サブフレーム６１１の側壁６１３ａと第２サブフレーム６２１の側壁６２３ａとは向かい合わされて、第１サブフレーム６１１の隔壁６１３ｂと第２サブフレーム６２１の隔壁６２３ｂとは重ねられる（破線部分参照）。これにより、ボトム部材とトップ部材との間の空間は４つの収容空間に仕切られる。また、第１サブフレーム６１１及び第２サブフレーム６２１は周壁６１２，６２２を有するため、折畳み状態から開いた状態に簡単に変形させることができる。このため、梱包体は、簡単に組み立てられ得る。
【００９１】
＜その他の実施形態＞
ボトム部材及びトップ部材の構造は、実施形態の例に限定されない。実施形態では、ボトム部材及びトップ部材は、縦枠部、横枠部、第１中間部、第２中間部、及び第３中間部により構成されるが、この構成に代えて、平面矩形の板材をベースにして構成され得る。また、フレームを構成する各壁には、貫通する窓が設けられたり、補強のためのリブが設けられたりし得る。また、フレームの折曲り構造は特に限定されない。例えば、折曲り構造は、フレームの２つの壁の境界に折曲り線（切り込み）を設けることにより構成される。また、折曲り構造はヒンジ部品により構成され得る。
【符号の説明】
【００９２】
１…梱包体、２…梱包物、１０…ボトム部材、１０ａ…上面、１０ｂ…下面、１１…横枠部、１１ａ…上面、１１ｂ…下面、１１ｃ…側面、１２…縦枠部、１３…第１中間部、１４…第２中間部、１５…第３中間部、１６…支持部、１７…溝、１８…フレーム係合部、２１…第１収容部、２１ａ…第１保持部、２１ｂ…第２保持部、２１ｃ…第３保持部、２２…第２収容部、２３…第１係合部、２４…第２係合部、２５…切欠部、３０…トップ部材、３０ａ…上面、３０ｂ…下面、３１…横枠部、３１ａ…上面、３１ｂ…下面、３１ｃ…側面、３２…縦枠部、３３…第１中間部、３４…第２中間部、３５…第３中間部、３６…当接部、３７…溝、４１…第１収容部、４１ａ…第１保持部、４１ｂ…第２保持部、４１ｃ…第３保持部、４２…第２収容部、４３…第１被係合部、４４…第２被係合部、４５…切欠部、５０…フレーム部材、５１…第１サブフレーム、５２…周壁、５３…延長壁、５４…下係合部、５５…第１壁、５６…第２壁、５７…第３壁、５８…第４壁、５９…第５壁、６１…第２サブフレーム、６２…周壁、６３…延長壁、６４…下係合部、６５…第６壁、６６…第７壁、６７…第８壁、６８…第９壁、６９…第１０壁、１００…フレーム部材、１１１…第１サブフレーム、１１２…周壁、１１３…延長壁、１２１…第２サブフレーム、１２２…周壁、１２３…延長壁、２００…フレーム部材、２１１…第１サブフレーム、２１２…周壁、２１３…延長壁、２１３ａ…側壁、２１３ｂ…隔壁、２２１…第２サブフレーム、２２２…周壁、２２３…延長壁、２２３ａ…側壁、２２３ｂ…隔壁、３００…フレーム部材、３１１…第１サブフレーム、３１２…周壁、３１３ａ…第１延長壁、３１３ｂ…第２延長壁、３２１…第２サブフレーム、３２２…周壁、３２３ａ…第１延長壁、３２３ｂ…第２延長壁、３３１…第３サブフレーム、３３２…周壁、３３３ａ…第１延長壁、３３３ｂ…第２延長壁、３４１…第４サブフレーム、３４２…周壁、３４３ａ…第１延長壁、３４３ｂ…第２延長壁、４００…フレーム部材、４１１…第１サブフレーム、４１２…周壁、４１３…延長壁、４２１…第２サブフレーム、４２２…周壁、４２３…延長壁、４３１…第３サブフレーム、４３２…周壁、４３３…延長壁、４４１…第４サブフレーム、４４２…周壁、４４３…延長壁、５００…フレーム部材、５１１…第１サブフレーム、５１２…周壁、５１３…延長壁、５２１…第２サブフレーム、５２２…周壁、５２３…延長壁、５３１…第３サブフレーム、５３２…周壁、５３３…延長壁、６００…フレーム部材、６１１…第１サブフレーム、６１２…周壁、６１３…延長壁、６１３ａ…側壁、６１３ｂ…隔壁、６２１…第２サブフレーム、６２２…周壁、６２３…延長壁、６２３ａ…側壁、６２３ｂ…隔壁、ＬＨ…高さ幅、ＬＡ…幅長、ＬＢ…幅長、ＳＡ…第１収容空間、ＳＢ…第２収容空間、ＳＣ…第３収容空間、ＳＤ…第４収容空間、ＳＥ…第５収容空間、ＳＸ…第１フレーム収容空間、ＳＹ…第２フレーム収容空間。
【図１】
0003204473.tif 000003
【図２】
0003204473.tif 000004
【図３】
0003204473.tif 000005
【図４】
0003204473.tif 000006
【図５】
0003204473.tif 000007
【図６】
0003204473.tif 000008
【図７】
0003204473.tif 000009
【図８】
0003204473.tif 000010
【図９】
0003204473.tif 000011
【図１０】
0003204473.tif 000012
【図１１】
0003204473.tif 000013
【図１２】
0003204473.tif 000014
【図１３】
0003204473.tif 000015
【図１４】
0003204473.tif 000016
【図１５】
0003204473.tif 000017
【図１６】
0003204473.tif 000018
【図１７】
0003204473.tif 000019
【図１８】
0003204473.tif 000020
【図１９】
0003204473.tif 000021
【図２０】
0003204473.tif 000022
【図２１】
0003204473.tif 000023
【図２２】
0003204473.tif 000024
【図２３】
0003204473.tif 000025
【図２４】
0003204473.tif 000026
【図２５】
0003204473.tif 000027